(57)【特許請求の範囲】
【請求項１】
電気泳動媒体中に分散されている電気泳動粒子を１対の電極により駆動して表示を行う電気泳動表示装置において、それぞれ異なる色の電気泳動粒子を含む電気泳動部を縦方向に少なくとも２層以上有し、少なくとも２層の前記電気泳動部に含有される電気泳動粒子及び電気泳動媒体が光透過性を有することを特徴とする電気泳動型カラー表示装置。
【請求項２】
電気泳動部が、イエローの光透過性粒子を含有する電気泳動部、マゼンタの光透過性粒子を含有する電気泳動部、シアンの光透過性粒子を含有する電気泳動部を３層有する積層構造であることを特徴とする請求項１に記載の電気泳動型カラー表示装置。
【請求項３】
請求項１又は２に記載の光透過性の電気泳動粒子及び電気泳動媒体を含む電気泳動部に加えて、不透明な黒色電気泳動粒子を含む電気泳動部を、少なくとも１層有することを特徴とする請求項１又は２に記載の電気泳動カラー表示装置。
【請求項４】
電気泳動粒子中に、下記一般式（１）で表される部分構造を有する色素と、下記一般式（２）又は（３）で表わされる画像安定化剤を少なくとも一種含有することを特徴とする請求項１〜３の何れかに記載の電気泳動型カラー表示装置。
【化１】
0004934908.tif 000013
〔式中のＲ1〜Ｒ7は水素原子または置換基を表す。〕
【化２】
0004934908.tif 000014
Ｒ11〜Ｒ15：置換基又は水素原子
【化３】
0004934908.tif 000015
Ｒ21：置換基又は水素原子
Ｒ22：置換基
【請求項５】
電気泳動粒子が、溶媒中に溶解された色素を壁材で覆いマイクロカプセル化された形状であることを特徴とする請求項１〜４の何れかに記載の電気泳動型カラー表示装置。
【請求項６】
一対の電極が第１電極と第２電極とから成り、電気泳動部において、電気泳動粒子が前記第１電極に引き寄せられる面積と前記第２電極に引き寄せられる面積の割合が、９：１〜６：４であることを特徴とする請求項１〜４の何れかに記載の電気泳動型カラー表示装置。
【請求項７】
電気泳動媒体及び電気泳動粒子の光屈折率が１．４〜１．６であることを特徴とする請求項１〜５の何れかに記載の電気泳動型カラー表示装置。
【請求項８】
電気泳動媒体の誘電率が３．０Ｆ／ｍ以上であることを特徴とする請求項１〜５の何れかに記載の電気泳動型カラー表示装置。
【請求項９】
第１層の電気泳動部の上面が、光遮断部と光透過部とで構成された上面層で被覆されていることを特徴とする請求項１〜８の何れかに記載の電気泳動型カラー表示装置。
【請求項１０】
第１層の電気泳動部の上面が、光透過性を有する部材で構成された上面層で被覆されており、且つ第１層の電気泳動部における電気泳動粒子が、不透明な黒色電気泳動粒子であることを特徴とする請求項１〜８の何れかに記載の電気泳動型カラー表示装置。
【発明の詳細な説明】
【０００１】
【発明の属する技術分野】
本発明は、ペーパーライクディスプレイなどに利用される電気泳動型カラー表示装置に関する。
【０００２】
【従来の技術】
次世代ディスプレイとしてペーパーライクディスプレイが注目され研究が進められており、液晶方式或いは非液晶方式による各種の表示装置の提案がなされている。非液晶方式としては、例えば電気泳動の原理を利用した方式があり、例えば、特開２０００−３２２００４号公報、同２０００−３５５９８号公報、同２０００−１７１８３９号公報、特開平１０−１４９１１８号公報、米国特許第６０１７５８４号明細書などに記載されている。
【０００３】
【発明が解決しようとする課題】
上記した米国特許第第６０１７５８４号明細書に記載の電気泳動型カラー表示装置では、単一のマイクロカプセル中に複数の着色粒子を混合状態で配設し、この粒子を選択的に駆動することを提案しているが、選択的な駆動は原理的に非常な困難を伴う。
【０００４】
上記した特開２０００−３２２００４号公報に記載の電気泳動型表示装置では、電気泳動媒体を青色、電気泳動粒子を黒色とする構成が示されているが、この構成を積層構造に適用してカラー表示装置としようとすると、各層の粒子と組み合わせた減法混色法による色再現ができないので、結局積層構造とすることはできず、Ｙ（イエロー）・Ｍ（マゼンタ）・Ｃ（シアン）別の画素として横並び（並列的）に表現せざるを得ない。その結果、装置が複雑となり、また色再現にも制限がある。
【０００５】
また、特開２０００−３５５９８号公報には、複数の色を表現するセル又はマイクロカプセルを横並び（並列的）に配設してカラー表示を行う装置が開示されているが、バックライトを用いない反射型表示装置としては十分なコントラストが得られない。
【０００６】
本発明は、上記に鑑み、減法混色法によるカラー表示が可能であり、色再現性に優れているだけでなく、高いコントラストが得られ、画像耐候性に優れた電気泳動型カラー表示装置を明らかにすることを課題とする。
【０００７】
本発明に係る電気泳動型カラー表示装置は下記構成であることを特徴とする。
１．電気泳動媒体中に分散されている電気泳動粒子を１対の電極により駆動して表示を行う電気泳動表示装置において、それぞれ異なる色の電気泳動粒子を含む電気泳動部を縦方向に少なくとも２層以上有し、少なくとも２層の前記電気泳動部に含有される電気泳動粒子及び電気泳動媒体が光透過性を有することを特徴とする電気泳動型カラー表示装置。
【０００８】
２．電気泳動部が、イエローの光透過性粒子を含有する電気泳動部、マゼンタの光透過性粒子を含有する電気泳動部、シアンの光透過性粒子を含有する電気泳動部を３層有する積層構造であることを特徴とする前記１に記載の電気泳動型カラー表示装置。
【０００９】
３．前記１又は２に記載の光透過性の電気泳動粒子及び電気泳動媒体を含む電気泳動部に加えて、不透明な黒色電気泳動粒子を含む電気泳動部を、少なくとも１層有することを特徴とする前記１又は２に記載の電気泳動カラー表示装置。
４．電気泳動粒子中に、下記一般式（１）で表される部分構造を有する色素と、下記一般式（２）又は（３）で表わされる画像安定化剤を少なくとも一種含有することを特徴とする前記１〜３の何れかに記載の電気泳動型カラー表示装置。
【００１０】
【化４】
0004934908.tif 000002
【００１１】
〔式中のＲ１〜Ｒ７は水素原子または置換基を表す。〕
【００１２】
【化５】
0004934908.tif 000003
【００１３】
Ｒ１１〜Ｒ１５：置換基又は水素原子
【００１４】
【化６】
0004934908.tif 000004
【００１５】
Ｒ２１：置換基又は水素原子
Ｒ２２：置換基
【００１６】
５．電気泳動粒子が、溶媒中に溶解された色素を壁材で覆いマイクロカプセル化された形状であることを特徴とする前記１〜４の何れかに記載の電気泳動型カラー表示装置。
【００１７】
６．一対の電極が第１電極と第２電極とから成り、電気泳動部において、電気泳動粒子が前記第１電極に引き寄せられる面積と前記第２電極に引き寄せられる面積の割合が、９：１〜６：４であることを特徴とする前記１〜４の何れかに記載の電気泳動型カラー表示装置。
【００１８】
７．電気泳動媒体及び電気泳動粒子の光屈折率が１．４〜１．６であることを特徴とする前記１〜５の何れかに記載の電気泳動型カラー表示装置。
【００１９】
８．電気泳動媒体の誘電率が３．０Ｆ／ｍ以上であることを特徴とする前記１〜５の何れかに記載の電気泳動型カラー表示装置。
【００２０】
９．第１層の電気泳動部の上面が、光遮断部と光透過部とで構成された上面層で被覆されていることを特徴とする前記１〜８の何れかに記載の電気泳動型カラー表示装置。
【００２１】
１０．第１層の電気泳動部の上面が、光透過性を有する部材で構成された上面層で被覆されており、且つ第１層の電気泳動部における電気泳動粒子が、不透明な黒色電気泳動粒子であることを特徴とする前記１〜８の何れかに記載の電気泳動型カラー表示装置。
【００２２】
【発明の実施の形態】
次に、上記した本発明の構成の特徴を更に詳細に説明する。
【００２３】
先ず、図１に示す態様を説明する。この態様は、第１電極１１、第２電極１２、泳動媒体１３、各々が電気泳動粒子（帯電粒子）であるイエローの光透過性粒子１４・マゼンタの光透過性粒子１５・シアンの光透過性粒子１６とで構成される電気泳動部１０を３層構造（上段から第１層、第２層、第３層という）に配設すると共に、上面層２０として光遮断部２１、光透過部２２を、下面層３０として白色拡散板３１を配設した構成である。イエローの光透過性粒子１４・マゼンタの光透過性粒子１５・シアンの光透過性粒子１６は、夫々別々の第１電極１１と第２電極１２により電気泳動される。
【００２４】
上記した縦３層構造の電気泳動部１０と上面層２０及び下面層３０とにより１単位の電気泳動ユニット（以下、ユニットと略称する）が形成されている。このユニットは平面的な二次元方向に連続して配設され、各ユニット間は隔壁４０により区画されている。
【００２５】
尚、図面では下面層３０として配設される白色拡散板３１は、平面的な二次元方向に連続している広域の層として示されているが、各ユニット毎に独立している構成であってもよい。図で表現すると、隣接する隔壁４０の間に白色拡散板３１が位置することになる。尚、白色拡散板３１は、支持体となる基板の上面に反射層及び／又は拡散層を塗布した態様、反射及び／又は拡散機能を有するフィルムなどを貼付した態様の外、白色拡散板３１それ自体が支持体としての機能を持つ態様などを含む。
【００２６】
尚また、図中の符号４１は透明基板であって、隔壁４０と共に個々の電気泳動部１０を構成しており、例えば、ガラスやポリエチレンフタレート、ポリエーテルスルフォン（ＰＥＳ）などの透明性合成樹脂で形成されている。図中の符号４２は、透明絶縁層であって、アクリル樹脂、ポリイミド樹脂などの有機材料、或いは酸化シリコン、窒化シリコンなど無機材料を用いればよい。
【００２７】
図１のＢに示すように、左端のユニットでは、イエローの光透過性粒子１４は、第１電極１１に引き寄せられて、光透過部２２の下方に展開している状態にあり、マゼンタの光透過性粒子１５及びシアンの光透過性粒子１６は、第２電極１２に引き寄せられて、光遮断部２１の下方に集積状態にある。この状態では、光透過部（開口）１１から入射した光は、イエローの光透過性粒子１４だけを透過し、白色拡散板３１で反射・拡散された光は、光透過部２２を通して可視光（黄）として目視することができる。同様にして、中間のユニットでは可視光（赤）を、右端のユニットでは可視光（青）を目視することができる。
【００２８】
上記の説明で理解されるように、イエローの光透過性粒子１４、マゼンタの光透過性粒子１５及びシアンの光透過性粒子１６が第２電極１２に引き寄せられている状態では、光遮断部２１に遮られて、カラー光は光透過部２２を通じて目視されず、粒子が第１電極１１に引き寄せられた状態の場合のみ目視される。
【００２９】
ここで、ユニットの横断面積（Ｗ０）に対し、光透過性粒子１４〜１６が第１電極１１に引き寄せられて平面的に展開している面積（Ｗ１）の割合が開口率（面積比）として問題となる。
【００３０】
ユニットの横断面積（Ｗ０）は、光透過性粒子１４〜１６が第１電極１１に引き寄せられて平面的に展開している面積（Ｗ１）に光透過性粒子１４〜１６が第２電極１２に引き寄せられて集積している部分の面積（Ｗ２）を加えた面積ということができるから、開口率は、（Ｗ１）と（Ｗ２）の割合として表現することもできる。更に、図１に示す実施態様における（Ｗ２）の部分では、その面積に対応して光遮断部２１が配設されているから、開口率は、光遮断部２１と光透過部２２との間の面積比として表現することもできる。
【００３１】
ユニットの横断面積に対する光遮断部２１の占める面積の比が大きくなれば、光透過部２２の面積は狭くなり（開口率が低くなる）、光の量が少なくなる結果、白色拡散板３１からの反射光の光量が減少し、色が暗くなり見にくくなる。
【００３２】
開口率（％）＝（Ｗ１／Ｗ０）×１００で計算され、開口率は６０％〜９０％、好ましくは７０％〜９０％、より好ましくは７５％〜８５％である。
【００３３】
開口率が６０％未満であると、色が暗いだけでなく、光遮断部２１の表面の色がユニットからの反射光に作用して色再現性が著しく低下するので好ましくない。
【００３４】
一方、開口率が９０％を越えると、各電気泳動部１０の厚みを大きくする必要があるためコントラストが低下するので好ましくない。
【００３５】
開口率を上記の値に設定するには、Ｗ１やＷ０の面積を設定するだけでは不十分である。即ち、電気泳動媒体１３の中で泳動する電気泳動粒子の全量が、印荷された第１電極１１又は第２電極１２に引き寄せられることが必要である。第１電極１１に引き寄せられ平面的に展開している光透過性粒子１４〜１６の量は、その透過光がディスプレイとして目視するのに必要にして十分な光量であるか否かを決定しているが、同時に、印荷された第２電極１２に引き寄せられるときには、その全量が移動させられることが必要であり、光透過性粒子１４〜１６が第２電極１２に引き寄せられて集積している部分の面積（Ｗ２）は、光透過性粒子１４〜１６の逃げ場の面積でもある。開口率の関係で、Ｗ１／Ｗ２は大きな値とする必要があるから、光透過性粒子１４〜１６の逃げ場は、電気泳動部１０の厚みとして確保する必要がある。
【００３６】
図２は、上記の関係を理解するために、電気泳動部１０を二次元の断面図で示した。Ｌ１（μｍ）はユニットの一辺の長さであり、Ｌ２（μｍ）は光透過性粒子１４〜１６が第２電極１２に引き寄せられて集積している部分の一辺の長さ、Ａ（μｍ）は光透過性粒子１４〜１６の粒径である。Ｌ１／ＡによりＬ１部分に存在する１層分の光透過性粒子１４〜１６の個数が計算できる。或る開口率（％）でのＬ１・Ｌ２・Ａが決められれば、光透過性粒子１４〜１６の個数と電気泳動部１０の厚みＭ（μｍ）が計算できる。例えば、Ｌ２＝１００μｍ、Ａ＝１μｍ、開口率＝０．８とすると、Ｍ＝５μｍとなる。
【００３７】
但し、図２において、
開口率：ｘ＝Ｌ１／Ｌ０
Ｌ０／Ａ＝Ｌ０×（１−ｘ）／Ａ×Ｍ／Ａ
Ａ＝Ｍ×（１−ｘ）
【００３８】
各ユニットにおいて、イエローの光透過性粒子１４・マゼンタの光透過性粒子１５・シアンの光透過性粒子１６の全てが第２電極１２に引き寄せられている場合には、白色光が光透過部（開口）から目視されることになり、逆に第１電極１１に引き寄せられている場合には、黒色となる。
【００３９】
ユニット内において、イエローの光透過性粒子１４・マゼンタの光透過性粒子１５・シアンの光透過性粒子１６の透過光を組み合わせることにより白色・黄色・赤色・青色・黒色以外のフルカラーが目視される。
【００４０】
また、第１電極１１及び第２電極１２の電界強度を調整することにより、第１電極１１の側に展開する光透過性粒子１４〜１６の量を調整することができ、各種の色相及び色調を表わすことが可能である。
【００４１】
以上は、縦３層のユニット内でカラーを表示する態様であるが、前述したようにユニットは二次元方向に平面的に連続しているので、隣接するユニットが表示する色との関係でカラーを表示する構成とすることもできる。この態様では、縦３層で構成される各ユニットは、黄色赤色青色のどれか一色を表示し、網点印刷の如く、隣接するユニットにより表示される単一色との関係においてカラーが合成されることになる。
【００４２】
以上は、電気泳動部１０を３層構造とする態様を説明したが、２層構造或いは４層以上の多層構造とすることができる。以下に説明する他の実施態様でも同様である。
【００４３】
２層構造の例としては、例えば、第１層・第２層・第３層の何れか１つの層を省略することで、２色での減法混合法によるカラー表示が可能となる。その場合、１層分だけ光透過性粒子による光の吸収（減衰）が少なくなり、その分だけ強い可視光が得られる利点がある。
【００４４】
４層構造の例としては、例えば、黒色の電気泳動粒子による電気泳動部１０を第４層として配設すれば、イエロー（Ｙ）・マゼンタ（Ｍ）・シアン（Ｃ）の泳動粒子の混色による黒色によらなくとも黒色表示を行うことができる。
【００４５】
以上説明した実施例における各要素の素材等に付いて説明する。
【００４６】
第１電極１１、第２電極１２、電気泳動媒体１３としては、公知のものを特別の制限なく利用することができる。第１電極１１、第２電極１２は、透明基板４１に接するように形成されていてもいなくてもよい。また、これらの電極１１、１２は必要に応じて絶縁層や電極保護層やブラックマトリクスパターンを形成すると良い。
【００４７】
また、上述した第１電極１１と第２電極１２との間の電位差の極性は、それぞれの区画（電気泳動部）において別個独立に変更できるように構成されている。その方法としては、第１電極１１及び第２電極１２の双方を各区画（電気泳動部）にドット状に形成して、それぞれの電極１１，１２毎に任意の極性の電圧を印加する方法や、一方の電極を基板のほぼ全体に亘って形成して共通電極にすると共に他方の電極を各区画毎にドット状に形成し、共通電極とした一方の電極を例えば接地等して基準電位に保持すると共に、他方の電極には任意の極性の電圧を印加する方法、を挙げることができる。ここで、印加電圧の大きさは、光透過性粒子（帯電粒子）の帯電量や電極間ピッチに応じて調整すれば良いが、通常は数十Ｖ程度が必要である。
【００４８】
例えば、第１電極１１としては、ＩＴＯ（インジウム・ティン・オキサイド）などの透明電極を用いるのが好ましく、第２電極１２としては、アルミニウムやチタンなどの金属材料を用いればよいが、好ましくは黒色材料（例えば炭化チタンなど）である。電気泳動媒体１３としては、光透過性粒子（帯電粒子）が良好に帯電し且つ低粘度の透明性液体を使用すればよく、例えばシリコンオイル・キシレン・トルエン・アイソパーなどの中、比重が光透過性粒子の比重と略同等であるものを採用することが好ましい。
【００４９】
電気泳動媒体１３は、誘電率≧３．０Ｆ／ｍ、光屈折率＝１．４〜１．６となるよう調整するのが好ましい。
本発明に係る表示装置は、電気泳動を利用している。電気泳動移動速度は下記式に示されるように電気泳動媒体の誘電率に影響する。
【００５０】
【数１】
0004934908.tif 000005
【００５１】
誘電率が３．０Ｆ／ｍより小さいと、表示装置として充分な移動速度が得られない。
一方、複数の電気泳動部を縦方向に積層する場合、それぞれの電気泳動部に含まれる電気泳動媒体の屈折率が１．４〜１．６の範囲から外れると、入射した光の散乱が起こり、特に下層で表示した画像の反射濃度の損失を招いたり、鮮鋭度の低下を引き起こす。
【００５２】
イエローの光透過性粒子１４・マゼンタの光透過性粒子１５・シアンの光透過性粒子１６としては、例えば、ポリエステル、ポリエチレンなどの透明性ポリマー樹脂を主成分とし、これに各々イエロー、マゼンタ、シアンの分光吸収極大を有する色素を用いて染色ないし着色したものを用いればよい。尚、黒色電気泳動粒子としては、カーボンなどの着色剤を用いればよい。
【００５３】
請求項４に示す本発明は、少なくとも１層の電気泳動部が電気泳動粒子中に、前記一般式（１）で表される部分構造を有する色素と、前記一般式（２）又は（３）で表わされる画像安定化剤を少なくとも一種含有することを特徴とする。
【００５４】
一般式（１）で表される化合物はｐ−フェニレンジアミン及びその置換体から合成される色素化合物である。以下にその具体例を挙げるが本発明に使用できる化合物はこの限りではない。
【００５５】
【化７】
0004934908.tif 000006
【００５６】
【化８】
0004934908.tif 000007
【００５７】
以下に、本発明に用いられる一般式（２）で表される化合物の具体的な化合物例を示すが、本発明に用いられる一般式（２）で表される化合物は、これらによって限定されるものではない。
【００５８】
【化９】
0004934908.tif 000008
【００５９】
【化１０】
0004934908.tif 000009
【００６０】
【化１１】
0004934908.tif 000010
【００６１】
以下に、本発明に用いられる一般式（３）で表される化合物の具体的な化合物例を示すが、本発明に用いられる一般式（３）で表される化合物は、これらによって限定されるものではない。
【００６２】
【化１２】
0004934908.tif 000011
【００６３】
【化１３】
0004934908.tif 000012
【００６４】
光透過性粒子１４〜１６は、光屈折率＝１．４〜１．６となるよう調整するのが好ましい。
光透過性着色粒子の光屈折率が１．４〜１．６の範囲から外れると、着色粒子表面で光の乱反射が起こり、反射濃度の損失や鮮鋭度の低下を引き起こすため好ましくない。
【００６５】
上面層２０の光遮断部２１及び光透過部２２を形成する素材として、公知のものを特別の制限なく利用することができる。例えば、光透過部２２としては、ガラスやポリエチレンフタレート、ポリエーテルスルフォン（ＰＥＳ）などの透明性合成樹脂を用いればよい。
【００６６】
光遮断部２１と光透過部２２とは別々の部材で形成することもできるし、単一部材で形成することもできる。後者の例として、例えば、光遮断部２１と光透過部２２を含む面積部分を透明素材で形成し、光遮断部２１の面積部分を不透明材（例えば、カーボンなどの黒色着色剤）の塗布・貼付などにより遮蔽する態様が挙げられる。
【００６７】
光遮断部２１の表面は、粗面に形成するなどして無反射ないし反射抑制構造とすることが好ましい。
【００６８】
白色拡散板３１としては、公知のものを特別な制限なく用いることができ、例えば、酸化チタン練り込みポリエチレンフタレートベースなどの白い反射板であってもよいし、アルミナなどの白色微粒子を混入して散乱層として形成してもよい。前述したように、白色散乱板３１は、単一の素材で形成する態様でなく、例えば、支持体となる基板の上に、反射層及び／又は散乱層を塗布により或いは貼付により積層する構成であってもよい。
【００６９】
隔壁４０を形成する素材としては、公知のものを特別の制限なく利用することができる。例えば、シリコンゴム、フッ素ゴム、アクリルゴムなど、その他感光性樹脂が好ましく用いられる。
【００７０】
次に、別の実施例を説明する。
図１及び図２に示した実施例は、隔壁４０で囲繞された四角の空間に電気泳動部１０を積層して１単位の電気泳動ユニットを形成し、このユニットを平面的な二次元方向に（格子状に）連接する構成であるが、別の実施例では、隔壁４０を円筒形に形成し、この円筒内に電気泳動部１０を積層して１単位の電気泳動ユニットを形成し、このユニットを平面的な二次元方向に連接する構成である。
【００７１】
本発明においては、下記のような他の実施態様が採用されてもよい。
（１）上面層２０の構成に付いて
図１、図２に示す実施例では、上面層２０を光遮断部２１と光透過部２２とで構成しているが、上面層２０の全面を光透過性とする構成も可能である。
【００７２】
例えば、第１層として不透明な黒色泳動粒子による電気泳動部２０を配設する態様とすれば、第２電極に引き寄せられている黒色粒子により、光遮断部２１と同等の機能が得られる。このとき、光透過部２２に相当する空間は黒色粒子が存在せず、光透過性を有する。
【００７３】
（２）第２電極１２に付いて
図１示す実施例では、第２電極１２が隔壁４０の一方の側に配置されており、泳動方向が１方向である。第２電極１２が隔壁４０の両面側に配設する構成を採用してもよい（図３のＢを参照）。また、図３のＡに示す如く、電気泳動部１０の厚み方向に配設する構成（第２電極１２は縦長になる）や、隔壁４０自体の一部又は全部を第２電極１２とする構成を採用してもよい（図示せず）。
【００７４】
【発明の効果】
本発明に係る電気泳動型カラー表示装置によれば、それぞれイエローの光透過性粒子・マゼンタの光透過性粒子・シアンの光透過性粒子を電気泳動媒体中に分散させた構成の電気泳動部を積層状態に配設しているので、色再現性に優れた減法混色法によるカラー表示が可能であり、頭記した課題が解決される。
【図面の簡単な説明】
【図１】本発明の第１の実施例を示す概略平面図及び断面図
【図２】電気泳動部の概略拡大断面図
【図３】本発明の他の実施例の二例を示す概略平面図及び断面図
【符号の説明】
１０−電気泳動部
１１−第１電極
１２−第２電極
１３−電気泳動媒体
１４−イエローの光透過性粒子
１５−マゼンタの光透過性粒子
１６−シアンの光透過性粒子
２０−上面層
２１−光遮断部
２２―光透過部
３０−下面層
３１−白色拡散板
４０−隔壁
４１−透明基板
４２−透明絶縁層
【図１】
0004934908.tif 000016
【図２】
0004934908.tif 000017
【図３】
0004934908.tif 000018